(57)【要約】【課題】  無加湿の反応ガスで発電を効率的に行うことができる燃料電池を提供する。【解決手段】  カソード電極層１２の外側に積層されたセパレータ２０の流路２１に、遮蔽部材５０Ａが設けられる。遮蔽部材５０Ａは、複数枚の遮蔽板５１，５２，５３・・・によって階段状に形成されており、流路２１の入口２２側の遮蔽板５１とカソード電極層１２との距離が最も短くなっている。流路２１の入口２２から無加湿ガスが導入されると、カソード電極層１２側で水が生成されるが、この生成された水は、遮蔽板５１，５２，・・・によって拡散されるのが防止できるので、電解質膜１１の乾燥を防止できる。【選択図】      図１
2005339943.tif 000002
【特許請求の範囲】
【請求項１】
電解質膜と、前記電解質膜の一面側に設けられたカソードの電極層と、他面側に設けられたアノードの電極層とを有する膜電極構造体の両側に、反応ガスが通る流路を有する一対のセパレータが設けられた燃料電池において、
少なくとも一方のセパレータに設けられた流路には、前記電極層の表面から離れる方向への水分の拡散を防止する遮蔽部材が設けられていることを特徴とする燃料電池。
【請求項２】
前記遮蔽部材と前記電極層の表面との距離が、前記流路の上流側から下流側に向けて大きくなるように設定されていることを特徴とする請求項１に記載の燃料電池。
【請求項３】
前記遮蔽部材が、複数の遮蔽板により階段状に形成されて、各遮蔽板の境界部には、前記反応ガスを前記電極層側に供給可能な導入穴が設けられていることを特徴とする請求項２に記載の燃料電池。
【請求項４】
前記遮蔽部材には、貫通孔が複数形成されており、前記各貫通孔は、前記流路の上流側から下流側に向けて開口面積が大きくなるように設定されていることを特徴とする請求項１に記載の燃料電池。
【請求項５】
前記遮蔽部材には、所定の開口面積の貫通孔が複数形成されており、前記各貫通孔は、前記流路の上流側から下流側に向けて開口密度が高くなるように設定されていることを特徴とする請求項１に記載の燃料電池。
【請求項６】
前記遮蔽部材は、傾斜を伴って設けられていることを特徴とする請求項１から請求項５のいずれか１項に記載の燃料電池。
【請求項７】
前記遮蔽部材が、前記流路の入口側にのみ設けられていることを特徴とする請求項１から請求項６のいずれか１項に記載の燃料電池。
【発明の詳細な説明】
【技術分野】
【０００１】
本発明は、例えば固体高分子型の燃料電池に関し、特に無加湿または加湿が十分でない反応ガスを利用して発電を行うことのできる燃料電池に関する。
【背景技術】
【０００２】
固体高分子型の燃料電池は、固体高分子膜からなる電解質膜の一面側にカソード電極、他面側にアノード電極が設けられた膜電極構造体（ＭＥＡ；Ｍｅｍｂｒａｎｅ  Ｅｌｅｃｔｒｏｄｅ  Ａｓｓｅｍｂｌｙ）の両面を、一対の導電性のセパレータで挟んだ単セルが複数枚積層された構造をしている。それぞれのセパレータには、反応ガスとしての酸化剤ガスまたは水素ガスが通る流路が形成されており、前記カソード電極に対向するセパレータの流路には酸化剤ガス（空気）が供給され、前記アノード電極に対向するセパレータの流路には水素ガスが供給されて、酸素と水素との電気化学反応により発電電流が取り出される。また、同時にカソード電極側では水が生成され、生成された過剰な水はセパレータの流路を通って外部に排出される。
【０００３】
この種の燃料電池に搭載される電解質膜は、乾燥すると、イオン交換膜としての機能が低下するため、反応ガスを燃料電池に送り込む前に、反応ガスを加湿装置で加湿することが行われている。しかし、反応ガスを加湿するための加湿装置を設けると、水を加熱するためのヒータなどの熱源が必要であったり、また加湿時の温度を燃料電池の作動温度となるように厳密に制御する必要があるなど、システム構成が複雑になる。
【０００４】
そこで、簡単な加湿制御で電解質膜の乾燥を防止する手段としては、電解質膜の膜厚を従来のものよりも薄く形成して、電解質膜の表面から内部まで水を十分に補い易くする技術が提案されている（特許文献１参照）。
【特許文献１】特開平１０−１０６５９３号公報（段落００１５〜００１７，００３４、図２）
【発明の開示】
【発明が解決しようとする課題】
【０００５】
しかし、前記特許文献１に記載のように、電解質膜の乾燥を防止するために電解質膜の膜厚を薄く形成すると、膜の機械的強度の低下によって耐久性が低下し、また電解質膜の製造も困難になるという問題がある。
【０００６】
また、前記特許文献１では、膜厚を薄くすることでカソード側における生成水で電解質膜内部を加湿することについては検討されているが、通流するカソードガスによる電解質膜の乾燥をどのように防止するかについては、何ら検討されていない。
【０００７】
そこで、本発明は、前記従来の課題を解決すべく、反応ガスを加湿する加湿装置を搭載しない簡単なシステム構成で、または加湿装置を搭載しても簡単なものとしたシステム構成で、電解質膜の乾燥を防止することができる燃料電池を提供することを課題とする。
【課題を解決するための手段】
【０００８】
本発明は、電解質膜と、前記電解質膜の一面側に設けられたカソードの電極層と、他面側に設けられたアノードの電極層とを有する膜電極構造体の両側に、反応ガスが通る流路を有する一対のセパレータが設けられた燃料電池において、
少なくとも一方のセパレータに設けられた流路には、前記電極層の表面から離れる方向への水分の拡散を防止する遮蔽部材が設けられていることを特徴とするものである。
【０００９】
前記本発明では、多量の反応ガスが通流された場合でも、電解質膜の表面や表面近傍の水分が蒸発しても、水蒸気が遮蔽部材によって遮られて拡散するのを防止できるので、遮蔽部材がない場合に比べて電解質膜の表面近傍の湿度を高めることができ、その結果、水分の蒸発を防止できるようになり、電解質膜の乾燥を防ぐことができる。したがって、無加湿な反応ガスを導入する加湿装置を設けないシステムあるいは低加湿な反応ガスを導入する簡単なシステムに適用できるようになる。
【００１０】
また、前記遮蔽部材と前記電極層の表面との距離が、前記流路の上流側から下流側に向けて大きくなるように設定されていることが好ましい。
【００１１】
前記流路の上流側では、下流側よりも反応ガスが過剰に供給されるため、前記距離を短く設定することにより、水分の拡散が抑えられて、電解質膜の表面の湿度を高く維持できるので、電解質膜の乾燥を防止できるようになる。また、流路の下流側では、反応ガスが不足するため、前記距離を長く設定することにより、反応ガスを電極層に導入し易くし、また水分が過剰に存在するので、この過剰な水分を容易に排出できる。
【００１２】
例えば、前記遮蔽部材が、複数の遮蔽板により階段状に形成されて、各遮蔽板の境界部には、前記反応ガスを前記電極層側に供給可能な導入穴が設けられている。
【００１３】
これにより、反応ガスの導入が段階的に促進されて、流路の上流側では水分の拡散を低下させることができ、流路の下流側では反応ガスの導入が容易になる。
【００１４】
また、前記遮蔽部材には、貫通孔が複数形成されており、前記各貫通孔は、前記流路の上流側から下流側に向けて開口面積が大きくなるように設定されていてもよい。
【００１５】
また、前記遮蔽部材には、一定の開口面積の貫通孔が複数形成されており、前記各貫通孔は、前記流路の上流側から下流側に向けて開口密度が高くなるように設定されていてもよい。
【００１６】
このように貫通孔を設けるいずれの構成であっても、反応ガスの導入を段階的に促進できる。
【００１７】
また、前記遮蔽部材は、傾斜を伴って設けられている構成にしてもよい。
【００１８】
これにより、遮蔽部材を反応ガスの導入方向に対して傾斜する向きに設定できるので、遮蔽部材の外側に導入された反応ガスが遮蔽部材に当る頻度を高くできるので、反応ガスを貫通孔を通して遮蔽部材の内側に導入し易くできる。
【００１９】
また、前記遮蔽部材が、前記流路の入口側にのみ設けられている構成であってもよい。
【００２０】
流路の入口が最も乾燥が著しい領域であり、出口側に向けて水分量が増加するものであるため、流路の入口側にのみ設置するものであっても、電解質膜の乾燥を防止でき、電極層の入口から出口までの一面において発電させることが可能になる。
【発明の効果】
【００２１】
本発明は、反応ガスを加湿する加湿装置を搭載しない簡単なシステム構成で無加湿な反応ガスを導入したとしても、または搭載しても簡単なものとしたシステム構成で低加湿または加湿が十分でない反応ガスを導入したとしても、電解質膜の乾燥を防止することができる。
【発明を実施するための最良の形態】
【００２２】
図１は、第１の実施形態の燃料電池の内部構造を示す斜視図、図２は、図１のＩＩ−ＩＩ断面図、図３は、セパレータの流路の全体形状を示す平面図、図４は、燃料電池システムの一例を示す全体構成図である。
【００２３】
図１に示すように、燃料電池１０Ａは、イオン導伝性の固体高分子型の電解質膜１１を有している。この電解質膜１１には、その一面側（図１では上面側）に触媒を含むカソード電極層（カソードの電極層）１２、他面側（図１では下面側）に触媒を含むアノード電極層（アノードの電極層）１３が設けられて、前記電解質膜１１とカソード電極層１２とアノード電極層１３とで膜電極構造体（ＭＥＡ）１４が構成されている。また、前記膜電極構造体１４の両面には、導電性部材で形成されたセパレータ２０，３０が設けられており、前記セパレータ２０，３０と前記膜電極構造体１４とで単セル４０が構成され、この単セル４０が、厚み方向に例えば数百枚積層されている。
【００２４】
前記セパレータ２０には、カソード電極層１２に対向する面に複数の流路２１，２１，・・・が互いに平行に形成されている。各流路２１は、いずれも所定の幅寸法及び深さ寸法で直線状に延びて形成されている。また、図３に示すように、各流路２１の一端が反応ガス（酸化剤ガス）の入口２２として、他端が反応ガスの出口２３として設定されている。よって、流路２１の入口２２側が上流側となり、出口２３側が下流側となる。したがって、酸化剤ガスは、前記入口２２から供給されて、各流路２１，２１，・・・内を一方向に向かって通流し、前記出口２３から排出される。なお、図１に示す図は、流路２１の手前側に見える部分が上流側である。
【００２５】
図１に示すように、前記セパレータ３０にも、アノード電極層１３に対向する面に、前記セパレータ２０と同様な形状の流路３１，３１，・・・が複数形成されている。各流路３１，３１，・・・には、反応ガス（水素ガス）が供給されるようになっている。なお、セパレータ３０の各流路３１，３１，・・・にも、図３に示すような入口と出口が設けれて、流路３１，３１，・・・の一端から水素ガスが導入され、他端から水素ガスが排出される。
【００２６】
なお、図示していないが、前記各セパレータ２０，３０には、それぞれ冷却液の流路が形成されており、前記冷却液が酸化剤ガス及び水素ガスと互いに混じり合わないように通流されるようになっている。前記冷却液は、例えば、前記セパレータ２０，３０の流路２１，３１とは反対側の面に形成され、この冷却液が図示しない循環装置により循環させられることにより、燃料電池１０Ａで発生した熱を冷却している。
【００２７】
図１に示すように、前記カソード電極層１２側に設けられたセパレータ２０の各流路２１内には、遮蔽部材５０Ａがそれぞれ設けられている。この遮蔽部材５０Ａは、流路２１の上流側から下流側に向けて階段状に形成されている。前記遮蔽部材５０Ａは、水素と酸素との電気化学反応により生成された水を遮断でき、且つ酸化剤ガスを遮断できる素材で形成されている。
【００２８】
図２に示すように、前記遮蔽部材５０Ａは、複数の遮蔽板５１，５２，５３，５４，５５で構成されており、前記遮蔽板５１が入口２２側に位置し、前記遮蔽板５５が出口２３側に位置して、各遮蔽板５１〜５５が互いに隣接して形成されるようにその各長さ寸法が設定されている。なお、図２では、各遮蔽板５１〜５５の長さ寸法は全て同じに設定されているが、必ずしも同じである必要はなく、適宜変更することができる。また図２では、遮蔽部材５０Ａの段数を５段に限定しているが、これに限定されるものではなく、５段未満であってもよく、５段を超えるものでもよい。
【００２９】
図２に示すように、各遮蔽板５１〜５５は、カソード電極層１２からの高さ寸法Ｈ１，Ｈ２，Ｈ３，Ｈ４，Ｈ５が段階的に高くなるように設定されている。また、前記遮蔽板５１と５２との境界部、前記遮蔽板５２と５３との境界部、前記遮蔽板５３と５４との境界部、前記遮蔽板５４と５５との境界部には、それぞれ、流路２１の断面方向に向くスリット（導入穴）６１，６２，６３，６４が形成されている。また、遮蔽板５１とカソード電極層１２との間にもスリット状の隙間が形成されている。
【００３０】
図１に示すように、前記遮蔽板５１，５２，５３，・・・には、両側に一対の側壁５１ａ，５２ａ，５３ａ，・・・が一体に形成されており、これら側壁５１ａ，５２ａ，５３ａ，・・・が、カソード電極層１２上で支持されることで、各遮蔽板５１，５２，５３，・・・が、流路２１内の所定の位置に設置できるようになっている。なお、前記側壁５１ａ，５２ａ，５３ａ，・・・が、流路２１の側面に固定されて、遮蔽板５１，５２，５３，・・・が流路２１内に支持されるようにしてもよい。
【００３１】
なお、前記遮蔽板５１〜５５を流路２１内に支持させる支持手段としては、図５乃至図８に示す方法を採用することもできる。図５及び図６は、それぞれ、別の支持手段を示す部分斜視図、図５のＶＩ−ＶＩ断面図である。また、図７及び図８は、それぞれ、さらに別の支持手段を示す部分斜視図、図７のＶＩＩＩ−ＶＩＩＩ断面図である。
【００３２】
図５及び図６に示す支持手段は、前記遮蔽板５１，５２，・・・と、前記カソード電極層１２との間に、グラスウールや不織布などの繊維状の支持部材９１，９２,・・・を設けることで構成されている。ただし、この支持部材９１，９２，・・・は、酸化剤ガスを通流できる素材で形成される。前記支持部材９１，９２，・・・は、幅寸法が遮蔽板５１，５２，・・・といずれも同じで、高さ寸法がＨ１，Ｈ２，・・・と段階的に高くなるように形成されている。
【００３３】
図７及び図８に示す支持手段は、前記遮蔽板５１，５２，・・・のカソード電極層１２に対向する面に複数本の溝部５１ｍ，５１ｍ，・・・が設けられて、これら溝部５１ｍ，５１ｍ，・・・の先端が、カソード電極層１２上で支持される。前記遮蔽板５１，５２，・・・とカソード電極層１２との間に導入された酸化剤ガスは、カソード電極層１２の表面と溝部５１ｍの表面とで形成される空間（溝部５１ｍ）を通流する。なお、前記溝部５１ｍは、遮蔽板５１と一体に形成されたものでもよく、別個の部材で形成したものでもよい。また、溝部の形状は、三角形に限定されるものではなく、四角形など他の形状であってもよい。また、溝部の本数も適宜変更できる。
【００３４】
図４に示すように、前記燃料電池１０Ａは、加湿装置を搭載しない自動車用の燃料電池システムに搭載することができる。
【００３５】
この燃料電池システム１は、前記燃料電池１０Ａと、空気供給装置２と、水素供給装置３と、制御装置４を有して構成されている。
【００３６】
前記空気供給装置２は、エアフィルタやコンプレッサ（いずれも図示せず）などで構成されており、コンプレッサによって高圧に処理された酸化剤ガスが、前記セパレータ２０の流路２１に供給されるようになっている。また、前記水素供給装置３は、例えば、高圧水素タンク(図示せず)や制御弁１６などで構成され、前記高圧水素タンクから取り出された水素ガスが、前記セパレータ３０の流路３１に供給されるようになっている。なお、燃料電池１０Ａで消費されずに排出された酸化剤ガスは、そのまま車両の外部に排出される。一方、水素ガスは、高圧水素タンクを使用して供給されるものであるため、無駄に排出すると燃費悪化の原因となるため、燃料電池１０Ａで消費されずに排出された水素ガスは、循環路５及びエゼクタ６を介して循環されるようになっている。また、アノード電極層１３側の経路出口側には、パージ弁７が設けられており、このパージ弁７を開くことにより、燃料電池１０Ａのアノード電極層１３側に残留する水や窒素などの不純物を外部へ排出させることができるようになっている。
【００３７】
前記燃料電池システム１では、前記空気供給装置２から導入された酸化剤ガスが前記セパレータ２０の流路２１に供給され、前記水素供給装置３からの水素ガスが前記セパレータ３０の流路３１に供給されると、酸化剤ガスは、セパレータ２０の流路２１を通ってカソード電極層１２に供給され、水素ガスは、セパレータ３０の流路３１を通ってアノード電極層１３に供給される。アノード電極層１３で生成された水素イオンは、電解質膜１１を透過して、カソード電極層１２に移動し、この移動した水素イオンと酸素（酸化剤ガス）と反応して水が生成される。
【００３８】
ところで、通常の燃料電池システムでは、加湿装置が設けられていないと、乾燥した酸化剤ガスがセパレータ２０の流路２１に導入されることになる。このような乾燥した酸化剤ガスが導入されると、カソード電極層１２側では、酸素と水素との反応により一旦水が生成されるが、この水は、セパレータ２０に導入される乾燥した酸化剤ガスによって蒸発させられて、蒸発した水分が拡散することにより電解質膜１１の乾燥が促進される。その結果、電解質膜１１がイオン交換膜としての機能が低下して、発電電流を取り出すことができなくなる。
【００３９】
そこで、本実施形態の燃料電池１０Ａを搭載したものでは、燃料電池システム１に酸化剤ガスを加湿するための加湿装置を搭載することが不要になり、これによって乾燥した酸化剤ガスが燃料電池１０Ａに導入された場合でも電解質膜１１を乾燥させることなく発電電流を取り出すことができるようになる。以下、その電解質膜の乾燥防止制御について詳述する。
【００４０】
図２に示すように、前記流路２１の入口２２（図３参照）から無加湿ガス（乾燥した酸化剤ガス）Ｇが導入されると、無加湿ガスＧのうちの一部分の無加湿ガスＧａが、遮蔽板５１の内側すなわち遮蔽板５１とカソード電極層１２との間の隙間に導入され、残りの無加湿ガスＧ１が、遮蔽板５１の外側の空間すなわち、カソード電極層１２に対して遮蔽板５１の裏面と流路２１とで囲まれる空間に導入される。遮蔽板５１が設けられた領域Ｓ１では、内側に導入された無加湿ガスＧａに含まれる酸素が、カソード電極層１２に取り込まれるとともに電解質膜１１を透過した水素イオンとが触媒作用によって反応することにより、水Ｗ１が生成される。生成された水の一部は、カソード電極層１２の表面を通って下流側へと通流する。
【００４１】
また、領域Ｓ１において、遮蔽板５１の外側を通った無加湿ガスＧ１は、遮蔽板５２が設けられた領域Ｓ２に移行するが、このとき無加湿ガスＧ１の一部の無加湿ガスＧｂが、スリット６１から遮蔽板５２の内側に導入される。この領域Ｓ２では、無加湿ガスＧｂ及び領域Ｓ１で消費されなかった無加湿ガスＧａに含まれる酸素が、カソード電極層１２に取り込まれて、水素イオンと反応して、水Ｗ２を生成する。同様にして、領域Ｓ３では、遮蔽板５２の外側を通った無加湿ガスＧ２の一部が、スリット６２を介して無加湿ガスＧｃとして内側に導入され、無加湿ガスＧ２とＧｃとに含まれる酸素が水素イオンと反応して水Ｗ３が生成される。また領域Ｓ４では、遮蔽板５３の外側を通った無加湿ガスＧ３の一部が、スリット６３を介して無加湿ガスＧｄとして内側に導入されて同様に水Ｗ４が生成される。また領域Ｓ５では、遮蔽板５４の外側を通った無加湿ガスＧ４の一部が、スリット６４を介して無加湿ガスＧｅとして導入されて同様に水Ｗ５が生成される。
【００４２】
このように、流路２１内に遮蔽部材５０Ａを階段状に形成することにより、カソード電極層１２に導入される無加湿ガスの量が、上流側から下流側に向けて段階的に増加させられる。また、これに伴い生成される水は、上流側から下流側に向けて段階的に増加させられる。したがって、無加湿ガスが最も多量に存在する入口２２側では、遮蔽部材５０Ａのカソード電極層１２の表面からの距離が短く設定されることにより、水の拡散が抑制されて、電解質膜１１の表面や表面近傍を適度な湿度で維持できるようになる。一方、出口２３側では、遮蔽部材５０Ａのカソード電極層１２の表面からの距離が長く設定されることにより、遮蔽部材５０Ａの内側に無加湿ガスを導入し易くなるとともに水分を容易に排出できるようになる。
【００４３】
本実施形態の燃料電池１０Ａは、加湿装置を搭載しない燃料電池システム１に搭載することができるので、システムを簡素化することができる。また、このような無加湿な反応ガスで発電を行う燃料電池システムでは、イオン交換膜として機能しない単セルを考慮して余分に単セル４０を搭載する必要があり、これにより燃料電池の小型化が阻害されるが、本実施形態の燃料電池を搭載することにより、それぞれの単セル４０を一枚一枚確実に機能させることができるので、燃料電池の小型化が可能となる。
【００４４】
また、本実施形態の燃料電池１０Ａでは、流路２１内に遮蔽部材５０Ａを設けているので、各単セル４０の厚み寸法を増加させることなく電解質膜１１の乾燥を防止できるようになる。したがって、単セル４０を多数積層して構成する燃料電池１０Ａにおいて特に有効である。また、従来は、流路２１の入口部分が乾燥しやすかったが、このような遮蔽部材５０Ａを設けることにより、流路２１の全体にわたって均一な加湿を行うことができ、これにより発電効率が向上する。
【００４５】
（第２の実施形態）
図９は、第２の実施形態の燃料電池を示す部分斜視図である。
この第２の実施形態の燃料電池１０Ｂは、セパレータ２０の流路２１に別の形状の遮蔽部材５０Ｂが設けられたものである。この遮蔽部材５０Ｂは、流路２１の幅寸法と同じで上流の入口２２側から下流の出口（図示せず）側へカソード電極層１２の表面１２ａからの高さ寸法が一定となるように形成されている。また、前記遮蔽部材５０Ｂには、複数の貫通孔７１，７２，７３，７４，・・・が形成されており、この貫通孔７１，７２，７３，７４，・・・は、上流側から下流側に向けて、開口面積が順番に大きくなるように設定されている。
【００４６】
この実施形態の燃料電池１０Ｂは、遮蔽部材５０Ｂの上流側では、貫通孔の開口面積が小さいので、カソード電極層１２側で生成された水の拡散を抑制することができ、電解質膜１１の乾燥を防止できる。また、下流側では貫通孔の開口面積が大きくなるので、無加湿ガスを遮蔽部材５０Ｃの内側に導入し易くなり、しかも生成した水を容易に排出できる。
【００４７】
（第３の実施形態）
図１０は、第３の実施形態の燃料電池を示す部分斜視図である。
この第３の実施形態の燃料電池１０Ｃは、セパレータ２０の流路２１にさらに別の形状の遮蔽部材５０Ｃを設けたものである。この遮蔽部材５０Ｃは、前記遮蔽部材５０Ｂと同様に、幅寸法及び高さ寸法が一定の板材に複数の貫通孔８１，８２，８３，８４，・・・が形成されたものである。前記貫通孔８１，８２，８３，８４，・・・は、いずれも開口面積が同じ寸法のものであり、上流側から下流側に向けて開口密度が順に大きくなるように設定されている。
【００４８】
このように形成した場合でも、流路２１の上流側では開口密度が小さくなるので、生成された水が拡散するのが抑制され、下流側では開口密度が大きくなるので、遮蔽部材５０Ｃの内側に無加湿ガスを導入しやすくなる。
【００４９】
（第４の実施形態）
図１１は、第４の実施形態の燃料電池を示す斜視図、図１２は、第４の実施形態の燃料電池における無加湿ガスの流れを示す断面図である。
この燃料電池１０Ｄは、傾斜を伴う遮蔽部材５０Ｄが設けられたものである。この遮蔽部材５０Ｄは、図９に示す第２の実施形態の遮蔽部材５０Ｂを上流側から下流側に向けてカソード電極層１２からの距離が大きくなるように形成されている。また、遮蔽部材５０Ｄには、遮蔽部材５０Ｂと同様な貫通孔９１，９２，９３，９４，・・・が形成されている。
【００５０】
このように形成することで、流路２１の入口２２側に導入された無加湿ガスのうち遮蔽部材５０Ｄの外側に導入された無加湿ガス（図１２参照）が遮蔽部材５０Ｄに当たる頻度を高くできる。よって、遮蔽部材５０Ｄの外側に導入された無加湿ガスが貫通孔９１，９２，９３，９４，・・・から遮蔽部材５０Ｄの内側に流れ込む割合を高くできる。その結果、遮蔽部材５０Ｄをカソード電極層１２と平行に形成する場合（遮蔽部材５０Ｂが設けられた実施形態の場合）と比べて、遮蔽部材５０Ｄの内側からの水分の拡散が抑制されると同時に、遮蔽部材５０Ｄの内側への無加湿ガスの導入を容易にできる。
【００５１】
なお、遮蔽部材５０Ｂ，５０Ｃ，５０Ｄを流路２１内で支持させる手段として、図９及び図１０に示すように、側壁で支持するものであってもよく、または図５乃至図８で説明したような支持手段で支持するものでもよい。また、図１０に示す第３の実施形態において、遮蔽部材５０Ｃを第４の実施形態のように傾斜させる構成としてもよい。
【００５２】
（第５の実施形態）
図１３は、第５の実施形態の燃料電池を示す断面図である。この燃料電池１０Ｅは、遮蔽部材５０Ｅを入口２２側にのみ設けたものである。すなわち、流路２１の入口２２側が乾燥の度合が最も高くなり、出口２３側では水分が過剰に存在するようになるため、遮蔽部材５０Ｅを入口２２側に設けるだけであっても、電解質膜１１が乾燥する領域を無くすことができるため、単セル毎に効率的に発電電流を取り出すことができる。
【００５３】
なお、流路２１の入口２２側に設ける遮蔽部材５０Ｅは、平板状のものに限られず、前記第１の実施形態で示したように、上流側から下流側に向けてカソード電極層１２からの距離が大きくなる階段状のものを適用してもよく、第２や第３の実施形態のように貫通孔が設けられたものを適用してもよく、また第４の実施形態のように傾斜を伴ったものを適用してもよい。
【００５４】
図１４に示すように、燃料電池１０Ａにガス拡散層１５を設けた構成にしてもよい。前記ガス拡散層１５は、多孔質状の導電部材で形成されて、カソード電極層１２とセパレータ２０との間に設けられている。このガス拡散層１５を設けることにより、導入された酸化剤ガス（反応ガス）をカソード電極層１２の一面に拡散させることができるようになり、発電の効率を上げることが可能になる。なお、ガス拡散層１５は、燃料電池１０Ａだけでなく、他の燃料電池１０Ｂ〜１０Ｅにも適用できる。
【００５５】
このようにガス拡散層１５を設けた実施形態では、入口２２側に面する遮蔽板５１を、ガス拡散層１５に密着させて設けることができる。このように密着させた場合には、流路２１の入口２２側から供給された無加湿ガスＧは、スリット６１から遮蔽部材５０Ａの内側に導入され、一部の無加湿ガスＧｓが、上流側に回り込むようにして導入される。ただし、遮蔽板５１をガス拡散層１５に密着させなくてもよい。
【００５６】
本発明の燃料電池は、前記した各実施形態に限定されるものではなく、本発明の主旨を逸脱しない範囲において種々変更できる。例えば、前記した各実施形態では、カソード電極層１２側のセパレータ２０に遮蔽部材５０Ａ〜５０Ｅを設けた構成についてのみ説明したが、水素ガスが供給されるアノード電極層１３側のセパレータ３０に設けられた流路３１にも適用できる。すなわち、アノード電極層１３側でも電解質膜の乾燥を防止するために、水素ガスは、加湿装置で加湿された後に燃料電池に導入されているが、前記遮蔽部材５０Ａ〜５０Ｅをセパレータ３０の流路３１にも適用することにより、無加湿な水素ガスを導入した場合であっても、電解質膜の乾燥を防止できるようになる。よって、水素ガスを加湿する加湿装置を不要にできる。それと同時に、遮蔽部材５０Ａ〜５０Ｅのカソード電極層１２からの高さ寸法が高くなるため、カソード電極層１２で生成されて膜電極構造体１４を浸透してきた水分の排出が容易になる。
【００５７】
また、セパレータ２０の流路２１とセパレータ３０の流路３１の双方に、それぞれ遮蔽部材５０Ａ〜５０Ｅを設けることにより、空気を加湿する加湿装置と水素ガスを加湿する加湿装置の双方が不要になるので、燃料電池システムをさらに簡略化できる。また軽量化を図ることもできる。また、加湿装置が不要になることで、燃料電池内での結露の発生を抑制できるので、低温環境下での始動性を向上することができるようになる。
【図面の簡単な説明】
【００５８】
【図１】第１の実施形態の燃料電池の内部構造を示す斜視図である。
【図２】図１のＩＩ−ＩＩ断面図である。
【図３】セパレータの流路の全体形状を示す平面図である。
【図４】燃料電池システムの一例を示す全体構成図である。
【図５】遮蔽部材の別の支持手段を示す斜視図である。
【図６】図５のＶＩ−ＶＩ断面図である。
【図７】遮蔽部材のさらに別の支持手段を示す斜視図である。
【図８】図７のＶＩＩＩ−ＶＩＩＩ断面図である。
【図９】第２の実施形態の燃料電池の内部構造を示す斜視図である。
【図１０】第３の実施形態の燃料電池の内部構造を示す斜視図である。
【図１１】第４の実施形態の燃料電池の内部構造を示す斜視図である。
【図１２】第４の実施形態の燃料電池における無加湿ガスの流れを示す断面図である。
【図１３】第５の実施形態の燃料電池の内部構造を示す斜視図である。
【図１４】ガス拡散層が設けられた燃料電池の内部構造を示す断面図である。
【符号の説明】
【００５９】
１０Ａ〜１０Ｅ  燃料電池
１１    電解質膜
１２    カソード電極層（カソードの電極層）
１２ａ  表面
１３    アノード電極層（アノードの電極層）
１４    膜電極構造体
２０，３０  セパレータ
２１    流路
２２    入口
２３    出口
５０Ａ〜５０Ｅ  遮蔽部材
５１〜５５  遮蔽板
６１〜６４  スリット（導入穴）
７１〜７４，８１〜８４，９１〜９４  貫通孔
【図１】
2005339943.tif 000003
【図２】
2005339943.tif 000004
【図３】
2005339943.tif 000005
【図４】
2005339943.tif 000006
【図５】
2005339943.tif 000007
【図６】
2005339943.tif 000008
【図７】
2005339943.tif 000009
【図８】
2005339943.tif 000010
【図９】
2005339943.tif 000011
【図１０】
2005339943.tif 000012
【図１１】
2005339943.tif 000013
【図１２】
2005339943.tif 000014
【図１３】
2005339943.tif 000015
【図１４】
2005339943.tif 000016